(57)【要約】【課題】プラズマディスプレイパネルを提供する。【解決手段】互いに対向して配置された上側基板１１１及び下側基板１２１と、上側基板１１１と下側基板１２１との間に配置されて、上側基板１１１及び下側基板１２１と共に複数の発光セル１３０を限定する隔壁１２４と、一方向に連続配置された発光セル１３０にわたって延び、それぞれ平行に対向配置された走査電極Ｙ１〜Ｙｍ及び維持電極Ｘ１〜Ｘｍの対からなる複数の放電維持電極対Ｓと、走査電極Ｙ１〜Ｙｍと維持電極Ｘ１〜Ｘｍとの間に配置され、外部電源と遮断された少なくとも一つ以上のフローティング電極Ｍと、放電維持電極対Ｓと交差する方向に延びたアドレス電極Ａ１〜Ａｎと、発光セル１３０内に配置された蛍光体層１２５と、発光セル１３０内に封入された放電ガスと、を備えるプラズマディスプレイパネル。【選択図】図５
2006147538.tif 000002
【特許請求の範囲】
【請求項１】
互いに対向して配置された上側基板及び下側基板と、
前記上側基板と下側基板との間に配置されて、前記上側基板及び下側基板と共に複数の発光セルを限定する隔壁と、
一方向に連続配置された発光セルにわたって延び、それぞれ平行に対向配置された走査電極及び維持電極の対からなる複数の放電維持電極対と、
前記走査電極と維持電極との間に配置され、外部電源と遮断された少なくとも一つ以上のフローティング電極と、
前記放電維持電極対と交差する方向に延びたアドレス電極と、
前記発光セル内に配置された蛍光体層と、
前記発光セル内に封入された放電ガスと、を備えるプラズマディスプレイパネル。
【請求項２】
前記フローティング電極は、一方向に連続配置された発光セルを横切って連続的に形成されていることを特徴とする請求項１に記載のプラズマディスプレイパネル。
【請求項３】
前記フローティング電極は、各発光セルごとに独立的に孤立されて形成されたことを特徴とする請求項１に記載のプラズマディスプレイパネル。
【請求項４】
前記フローティング電極は、前記走査電極と維持電極との間において、相対的に維持電極に近接して配置されたことを特徴とする請求項１に記載のプラズマディスプレイパネル。
【請求項５】
前記走査電極及び維持電極それぞれは、透明導電材で形成された透明電極、及び前記透明電極と上下に接する金属素材のバス電極を備え、
前記フローティング電極は金属素材で形成されたことを特徴とする請求項１に記載のプラズマディスプレイパネル。
【請求項６】
前記放電維持電極対及びアドレス電極は、それぞれ上側誘電体層及び下側誘電体層により覆われることを特徴とする請求項１に記載のプラズマディスプレイパネル。
【請求項７】
前記放電維持電極及びフローティング電極は、前記上側基板の下側に形成され、前記上側誘電体層を覆うように保護層が形成されたことを特徴とする請求項６に記載のプラズマディスプレイパネル。
【請求項８】
前記アドレス電極は、前記下側基板の上側に形成され、前記蛍光体層は、前記下側誘電体層上で前記隔壁の側面にわたって形成されたことを特徴とする請求項６に記載のプラズマディスプレイパネル。
【請求項９】
前記プラズマディスプレイパネルは、リセット区間、アドレス区間、及びサステイン区間からなる一連の駆動周期が反復実行されて駆動され、前記駆動周期を通じて前記維持電極には一定の大きさの定電圧が印加されることを特徴とする請求項１に記載のプラズマディスプレイパネル。
【請求項１０】
前記定電圧は、グラウンド電圧であることを特徴とする請求項９に記載のプラズマディスプレイパネル。
【発明の詳細な説明】
【技術分野】
【０００１】
本発明は、プラズマディスプレイパネルに係り、より詳細には、その駆動のための回路ボード数を減らしつつ、放電の不均一及びそれによる輝度差が除去されるプラズマディスプレイパネルに関する。
【背景技術】
【０００２】
プラズマディスプレイパネルは、ガス放電現象を利用して画像を表示する平板表示パネルであり、表示容量、輝度、コントラスト、残像及び視野角などの各種表示能力に優れている。また、薄型であり、大画面表示が可能で陰極線管（Ｃａｔｈｏｄ  Ｒａｙ  Ｔｕｂｅ：ＣＲＴ）に取って代わりうる次世代平板表示パネルとして脚光を浴びている。
【０００３】
図１には、従来プラズマディスプレイパネルの構造が模式的に図示されている。図示されたプラズマディスプレイパネルでは、縦横に延びたマトリックスパターンの隔壁２４により複数の放電セル３０が区画され、一方向に連続配置された放電セル３０にわたって、走査電極Ｙ１〜Ｙｍ及び維持電極Ｘ１〜Ｘｍの対からなる放電維持電極対が配置される。ここで、例えば、一つの走査電極Ｙ１及び一つの維持電極Ｘ１は一つの放電維持電極対をなす。また、前記放電維持電極対と交差する方向には、連続配置された放電セル３０にわたって、アドレス電極Ａ１〜Ａｎが配置される。前記走査電極Ｙ１〜Ｙｍ及び維持電極Ｘ１〜Ｘｍは、それぞれＹ駆動部及びＸ駆動部により駆動信号が印加され、それらと交差するアドレス電極Ａ１〜Ａｎは、アドレス駆動部に電気的に連結されてアドレス信号が印加される。
【０００４】
図２には、図１に図示されたプラズマディスプレイパネルの駆動方式を示す。プラズマディスプレイパネルは、階調表現のために、１フレーム期間を発光回数の相異なるいろいろなサブフィールドＳＦに分けて駆動する。１サブフィールドＳＦは、リセット区間ＰＲ、アドレス区間ＰＡ、及びサステイン区間ＰＳに区分される。前記リセット区間ＰＲでは、あらゆる走査電極Ｙ１〜Ｙｍにグラウンド電圧Ｖｇが印加された後、維持放電電圧Ｖｓが急激に印加され、再び上昇ランプ信号が印加されて維持放電電圧Ｖｓから所定電圧Ｖｓｅｔほど上昇した最高上昇電圧Ｖｓ＋Ｖｓｅｔに到達する。この後、走査電極Ｙ１〜Ｙｍには、最高上昇電圧Ｖｓ＋Ｖｓｅｔから急激に下降して維持放電電圧Ｖｓが印加され、再び下降ランプ信号が印加されて走査電極Ｙ１〜Ｙｍに印加される電圧は、最低下降電圧Ｖ’ｎｆまで落ちる。
【０００５】
一方、維持電極Ｘ１〜Ｘｍにはグラウンド電圧Ｖｇが維持されつつ、最高上昇電圧Ｖｓ＋Ｖｓｅｔ状態の走査電極Ｙ１〜Ｙｍに維持放電電圧Ｖｓが印加されると同時に、一定の大きさのバイアス電圧Ｖｂが印加される。リセット区間ＰＲの間にアドレス電極Ａ１〜Ａｎには、グラウンド電圧Ｖｇが印加された状態が維持される。
【０００６】
アドレス区間ＰＡでは、スキャンハイ電圧Ｖ’ｓｃｈでバイアスされた走査電極Ｙ１〜Ｙｍに順にスキャンロー電圧Ｖ’ｓｃｌの走査パルスが印加されると同時に、各アドレス電極Ａ１〜Ａｎにアドレス信号が印加される。各アドレス電極Ａ１〜Ａｎに印加されるアドレス信号は、発光セルを選択する場合には正極性アドレス電圧Ｖａ、そうでない場合にはグラウンド電圧Ｖｇが印加される。これにより、スキャンロー電圧Ｖ’ｓｃｌの走査パルスが印加される間に正極性アドレス電圧Ｖａのアドレス信号が印加されれば、相応する発光セルでアドレス放電により壁電荷が形成される。
【０００７】
サステイン区間ＰＳでは、あらゆる走査電極Ｙ１〜Ｙｍ、及び維持電極Ｘ１〜Ｘｍに所定の維持放電電圧Ｖｓとグラウンド電圧Ｖｇとを交互に持つ所定の維持パルスが印加されることによって、アドレス区間ＰＡで壁電圧が形成された発光セルが維持放電を起こす。
【０００８】
前述したように従来技術によれば、走査電極Ｙ１〜Ｙｍ及び維持電極Ｘ１〜Ｘｍに維持パルスが印加されねばならないので、走査電極Ｙ１〜Ｙｍに駆動信号を印加するＹ駆動部（図１参照）及び維持電極Ｘ１〜Ｘｍに駆動信号を印加するＸ駆動部がいずれも設けられねばならないが、前記駆動部は複数の回路素子が搭載された回路ボードからなり、相対的に高コストの回路ボードによってディスプレイ装置のコストアップになるという問題点が発生する。
【０００９】
また、駆動部を構成する回路ボードではその作動によって高熱が発生するが、その熱が迅速に除去されなければ、蓄積された熱によって回路素子が劣化して円滑なパネルの駆動が難しくなり、別途の放熱設計が要求される。さらに、周期的な信号を発生させる駆動部ではノイズないし振動が発生するが、それらが外部に伝えられれば、ディスプレイの品格が低下するか、または、それを遮断するための除振設計が要求されるという問題点が発生する。
【発明の開示】
【発明が解決しようとする課題】
【００１０】
本発明は、前記のような問題点及びその他の問題点を解決するためになされたものであり、その駆動のための回路ボード数が減少しつつも均一な放電が行われることによって、輝度差が除去される改善されたプラズマディスプレイパネルを提供するところにその目的がある。
【課題を解決するための手段】
【００１１】
前記のような目的及びその他の目的を達成するために、本発明のプラズマディスプレイパネルは、互いに対向して配置された上側基板及び下側基板と、前記上側基板と下側基板との間に配置されて、前記上側基板及び下側基板と共に複数の発光セルを限定する隔壁と、一方向に連続配置された発光セルにわたって延び、それぞれ平行に対向配置された走査電極及び維持電極の対からなる複数の放電維持電極対と、前記走査電極と維持電極との間に配置され、外部電源と遮断された少なくとも一つ以上のフローティング電極と、前記放電維持電極対と交差する方向に延びたアドレス電極と、前記発光セル内に配置された蛍光体層と、前記発光セル内に封入された放電ガスと、を備える。
【００１２】
本発明において、前記フローティング電極は、一方向に連続配置された発光セルを横切って連続的に形成され、または、各発光セルごとに独立的に孤立されて形成されることもある。
【００１３】
本発明において、前記フローティング電極は、前記走査電極と維持電極との間において、相対的に維持電極に近接して配置されることが望ましい。
【００１４】
本発明のプラズマディスプレイパネルは、リセット区間、アドレス区間、及びサステイン区間からなる一連の駆動周期が反復実行されて駆動され、前記駆動周期を通じて前記維持電極には一定の大きさの定電圧が印加されることが望ましい。
【発明の効果】
【００１５】
本発明のプラズマディスプレイパネルによれば、次のような効果がある。
【００１６】
第１に、本発明のプラズマディスプレイパネルは、従来技術に比べて少数の回路ボードでも駆動が可能である。したがって、それを備えてなるプラズマディスプレイ装置の製造コストが大幅低減することはもとより、回路ボードの放熱設計や除振設計にかかるコスト及び工程が低減する。
【００１７】
第２に、前述した効果を達成しつつも放電不均一によるディスプレイパネルの輝度差を減少ないし除去できる。すなわち、維持電極に隣接してフローティング電極を配置することによって、相対的に放電強度の弱い維持電極の電界を強化して放電不良を防止し、感性画質を向上させることができる。
【発明を実施するための最良の形態】
【００１８】
以下、添付された図面を参照して本発明の望ましい実施形態野について詳細に説明する。
【００１９】
図３は、本発明の第１実施形態によるプラズマディスプレイパネルの分解斜視図であり、図４は、図３のＩＶ−ＩＶ線の断面図である。図３を参考すれば、プラズマディスプレイパネルは、上側パネル１１０及びそれに対面して接合される下側パネル１２０を備える。前記上側パネル１１０は、上側基板１１１、前記上側基板１１１の下面に所定のパターンで複数形成された放電維持電極対Ｓ、前記放電維持電極対Ｓを埋め込む上側誘電体層１１４、及び前記上側誘電体層１１４を覆う保護層１１５を備える。
【００２０】
前記上側基板１１１は、ガラスを主材料とした透明な材料で形成されることが一般的である。上側基板１１１の下側には所定のパターン、例えば、一方向に延びたストライプパターンで複数の放電維持電極対Ｓが配置される。前記放電維持電極対Ｓは、互いに平行に対をなして配置された走査電極Ｙ、及び維持電極Ｘを備える。前記走査電極Ｙ、及び維持電極Ｘそれぞれは、透明電極Ｙａ、Ｘａ及びバス電極Ｙｂ、Ｘｂを備える。ただし、場合によっては、透明電極なしにバス電極だけで走査電極及び維持電極が構成されることもある。
【００２１】
前記透明電極Ｙａ、Ｘａは、放電を起こしうる導電体でありつつ、蛍光体層１２５から放射される可視光が上側基板１１１を透過することを妨害しない透明な材料で形成されるが、このような材料としては、ＩＴＯ（Ｉｎｄｉｕｍ  Ｔｉｎ  Ｏｘｉｄｅ）などがある。バス電極Ｙｂ、Ｘｂは、透明電極Ｙａ、Ｘａの電気抵抗を改善するために形成されたものであり、前記透明電極Ｙａ、Ｘａと接するように形成される。前記バス電極Ｙｂ、Ｘｂは、導電性の良い金属材料、例えば、アルミニウム（Ａｌ）、銀（Ａｇ）などの単一金属層またはクロム−銅−クロム（Ｃｒ−Ｃｕ−Ｃｒ）の３重金属層で形成できる。バス電極Ｙｂ、Ｘｂは、可視光の上方透過を妨害しないように透明電極Ｙａ、Ｘａより狭い幅で形成されることが望ましいが、例えば、図４で分かるように、１放電セル１３０を区画する隔壁１２４間の幅Ｗが３２０〜３５０μｍである時、透明電極Ｙａ、Ｘａの幅Ｗａは１００〜１２０μｍ、バス電極Ｙｂ、Ｘｂの幅Ｗｂは７０〜８０μｍ程度になることが望ましい。
【００２２】
前記走査電極Ｙと維持電極Ｘとの間にはフローティング電極Ｍが配置されるが、本実施形態のフローティング電極Ｍは、一方向に連続配置された放電セル１３０にまたがって連続的に形成される。フローティング電極Ｍは、外部電源と遮断されてフローティング状態になり、そのようなフローティング電極Ｍには、走査電極Ｙと維持電極Ｘとの間の電圧レベルを持つ誘導電圧が形成される。後述するように、本発明のプラズマディスプレイパネルの駆動においては、維持電極Ｘに一定の定電圧が維持されるところ、前記誘導電圧の大きさは、走査電極Ｙに印加される駆動電圧の変化によって変わる。フローティング電極Ｍに誘導電圧が形成されれば、放電セル１３０の内部のプライミング粒子など励起種の動きが活発になり、荷電粒子の形成が促進されて放電が活性化される。このようなフローティング電極Ｍは高伝導性を持つ導電材で形成されることが望ましいが、例えば、走査電極Ｙ及び維持電極Ｘに備わるバス電極Ｙｂ、Ｘｂの素材と同じＡｌ、Ａｇなどの単一金属層またはＣｒ−Ｃｕ−Ｃｒの３重金属層などの金属導電材で形成されうる。フローティング電極Ｍがそれらバス電極Ｙｂ、Ｘｂと同じ素材で形成される場合には、バス電極Ｙｂ、Ｘｂとフローティング電極Ｍのパターニングが同時に行われるという長所がある。ただし、フローティング電極Ｍが不透明な金属素材で形成される場合、可視光の透過率を考慮してその幅Ｗｍは約５０〜６５μｍ程度に形成されることが望ましい。また、フローティング電極Ｍは、上側基板１１１を通じた表示光の透過を妨害しないように透光率の良い透明導電材で形成されることもあるが、例えば、ＩＴＯ（Ｉｎｄｉｕｍ  Ｔｉｎ  Ｏｘｉｄｅ）で形成されうる。
【００２３】
図５は、図３に図示されたプラズマディスプレイパネルを模式的に示す図面であり、説明の便宜のために、図３に図示された電極に下添字をつけて電極の配置順序を示した平面図である。図面に示すように、走査電極Ｙ１〜Ｙｍは、Ｙ駆動部と電気的に連結されて駆動信号を印加され、アドレス電極Ａ１〜Ａｎは、アドレス駆動部と電気的に連結されてアドレス信号を印加される。一方、維持電極Ｘ１〜Ｘｍには一定の大きさの定電圧、例えば、グラウンド電圧Ｖｇが印加され、維持電極Ｘ１〜Ｘｍに駆動信号を印加するための別途のＸ駆動部は要求されない。すなわち、映像が具現されるサステイン区間で、走査電極Ｙ１〜Ｙｍにのみ所定の交流電圧からなる維持パルスが印加され、維持電極Ｘ１〜Ｘｍには一定のレベルのグラウンド電圧Ｖｇが印加される。その結果、走査電極Ｙ１〜Ｙｍ付近では放電が活発に行われるが、一定の定電圧が維持される維持電極Ｘ１〜Ｘｍ付近では放電が相対的に弱く行われて、各放電セル１３０において、走査電極Ｙ１〜Ｙｍが配置された部分と維持電極Ｘ１〜Ｘｍが配置された部分とで、発光レベルに差を示す。
【００２４】
図６には、本発明の比較例として、走査電極Ｙｒと維持電極Ｘｒとが対向配置されたプラズマディスプレイパネルにおける一つの発光セルが模式的に図示されているが、走査電極Ｙｒが配置された発光セル部分では８２５ｃｄ／ｍ２程度の発光レベルを示す一方、維持電極Ｘｒが配置された発光セル部分では８００ｃｄ／ｍ２程度の発光レベルを示す。これにより、全体的な発光レベルが低下することはもとより、各発光セルの中心に対する非対称的発光及び輝度差に起因した映像斑によって感性画質が低下する。
【００２５】
このような問題点を解消するために、本発明では走査電極と維持電極との間にフローティング電極を配置して維持電極側の電界を強化させることによって、維持電極側での放電を促進する。したがって、フローティング電極は、相対的に維持電極にさらに近接配置されることが望ましい。すなわち、図４でフローティング電極Ｍから維持電極Ｘまでの距離Ｌｘが、フローティング電極Ｍから走査電極Ｙまでの距離Ｌｙより短いことが望ましい。
【００２６】
再び、図３を参照すれば、前記走査電極Ｙ及び維持電極Ｘを埋め込むように上側基板１１１の下側には上側誘電体層１１４が形成される。前記上側誘電体層１１４は、主放電時に隣接した走査電極Ｙと維持電極Ｘとの間に直接通電されることと、陽イオンまたは電子が放電維持電極対Ｓに直接衝突して放電維持電極対Ｓが損傷されることとを防止し、また、電荷を誘導する役割を行う。
【００２７】
前記保護層１１５は必須な構成要素ではないが、形成されることが望ましく、保護層１１５は、放電時に陽イオンと電子とが上側誘電体層１１４に衝突して上側誘電体層１１４が損傷されることを防止し、２次電子を多く放出させる。保護層１１５としては、通常的にはＭｇＯが使われうる。
【００２８】
一方、下側パネル１２０は、下側基板１２１、下側基板１２１上に所定のパターンで形成された複数のアドレス電極Ａ、アドレス電極Ａを埋め込む下側誘電体層１２３を備え、下側誘電体層１２３上に形成されて複数の放電セル１３０を区画する隔壁１２４、及び前記下側誘電体層１２３上で隔壁１２４にわたって形成された蛍光体層１２５を備える。
【００２９】
前記下側基板１２１は、上側基板１１１のようにガラス材質からなりうる。前記アドレス電極Ａは、放電維持電極対Ｓと実質的に直交するように延設され、図３に示すように、ストライプパターンで形成できる。前記アドレス電極Ａを覆うように、下側基板１２１上には下側誘電体層１２３が形成される。下側誘電体層１２３は、荷電粒子がアドレス電極Ａと衝突してアドレス電極Ａが損傷されないように保護する。
【００３０】
前記下側誘電体層１２３上に形成された隔壁１２４は、蛍光体層１２５が配置される領域を区画し、放電セル１３０間に誤放電が起きることを防止する。前記隔壁１２４により複数の発光セル１３０が区画されるが、図３に示すように、互いに交差する二方向に延びてマトリックス状に形成されうる。
【００３１】
発光セル１３０の内部には蛍光体層１２５が形成される。蛍光体層１２５は、蛍光体が塗布されて形成されるが、このような蛍光体は、赤色、緑色、青色の三色蛍光体を備える。前記発光セル１３０は、内部に塗布された蛍光体の種類によって、赤色発光セル、緑色発光セル、青色発光セルに区分される。一方、図面に図示されていないが、前記発光セル１３０の内部には放電ガスが充填される。
【００３２】
以下では、図７を参照して図４に図示されたプラズマディスプレイパネルの駆動方法について、一例をあげて詳細に説明する。プラズマディスプレイパネルに基本的に適用される駆動方法では、リセット区間ＰＲ、アドレス区間ＰＡ、及びサステイン区間ＰＳが順次に行われて１サブフィールドＳＦが構成される。
【００３３】
まず、前記リセット区間ＰＲで、走査電極Ｙ１〜Ｙｍに印加される駆動信号について説明すれば、グラウンド電圧Ｖｇが印加された状態の走査電極Ｙ１〜Ｙｍに維持放電電圧Ｖｓが急激に印加される。その後、走査電極Ｙ１〜Ｙｍには、維持放電電圧Ｖｓから所定の電圧Ｖｓｅｔほど上昇して最高上昇電圧Ｖｓ＋Ｖｓｅｔに到達する上昇ランプ信号が印加される。このような上昇ランプ信号により弱放電が行われ、その結果、走査電極Ｙ１〜Ｙｍ付近には負電荷が蓄積され始める。その後、走査電極Ｙ１〜Ｙｍには維持放電電圧Ｖｓが急激に印加され、維持放電電圧Ｖｓから最低下降電圧Ｖｎｆに落ちる下降ランプ信号が印加される。ここで、本発明のプラズマディスプレイパネルの駆動方法においては、維持電極Ｘ１〜Ｘｍにグラウンド電圧Ｖｇが印加されて接地状態が維持されるところ、図２に示した従来駆動方式で、維持電極に印加されるバイアス電圧Ｖｂを補償する必要がある。したがって、本発明の駆動方法においては、走査電極Ｙ１〜Ｙｍに印加される下降ランプ信号が従来に比べてさらに急激に下降し、その結果、到達する最低下降電圧Ｖｎｆも従来に比べて低くなる。
【００３４】
このように、走査電極Ｙ１〜Ｙｍに持続的に下降する電圧が印加されることによって放電が発生し、その結果、走査電極Ｙ１〜Ｙｍに蓄積されていた負電荷の一部が放出される。これは、走査電極Ｙ１〜Ｙｍの付近にアドレス放電の発生に適したレベルの負電荷が残留することを意味する。一方、維持電極Ｘ１〜Ｘｍ、及びアドレス電極Ａ１〜Ａｎには、リセット区間ＰＲの間に一定レベルの定電圧、例えば、グラウンド電圧Ｖｇが印加される。このようなリセット区間ＰＲを経つつあらゆる発光セルの電荷状態が均一になる。
【００３５】
次いで、アドレス区間ＰＡでは、選択された発光セルに所定の壁電圧が生成される。それをさらに詳細に説明すれば、スキャンハイ電圧Ｖｓｃｈでバイアスされた走査電極Ｙ１〜Ｙｍに、順次にスキャンロー電圧Ｖｓｃｌの走査パルスが印加され、このような走査パルスに合せて、各アドレス電極Ａ１〜Ａｎにはアドレス信号が印加される。各アドレス電極Ａ１〜Ａｎに印加されるアドレス信号は、発光セルを選択する場合にアドレス電圧Ｖａ、そうでない場合にグラウンド電圧Ｖｇが印加される。
【００３６】
一方、維持電極Ｘ１〜Ｘｍには、リセット区間ＰＲに次いでグラウンド電圧Ｖｇが印加され続ける。前記選択された発光セルでは、アドレス電極Ａ１〜Ａｎに印加されるアドレス電圧Ｖａ、走査電極Ｙ１〜Ｙｍに印加されるスキャンロー電圧Ｖｓｃｌ、走査電極Ｙ１〜Ｙｍの付近に蓄積された負電荷による壁電圧、及びアドレス電極Ａ１〜Ａｎの付近に蓄積された正電荷による壁電圧によってアドレス放電が行われる。アドレス放電結果、走査電極Ｙ１〜Ｙｍの付近には正電荷が蓄積され、維持電極Ｘ１〜Ｘｍの付近には負電荷が蓄積される。
【００３７】
サステイン区間ＰＳでは、走査電極Ｙ１〜Ｙｍに所定の維持パルスが印加されることによって、壁電圧が蓄積された発光セルが維持放電を起こす。すなわち、走査電極Ｙ１〜Ｙｍには正極性の維持放電電圧Ｖｓと負極性の維持放電電圧−Ｖｓとを交互に持つ維持パルスが印加されることによって、アドレス放電で形成された壁電圧に走査電極Ｙ１〜Ｙｍに印加される維持放電電圧Ｖｓが重畳されて放電開始電圧以上が印加されれば、放電が行われる。一方、このようなサステイン区間の間、前記維持電極Ｘ１〜Ｘｍ及びアドレス電極Ａ１〜Ａｎにはグラウンド電圧Ｖｇが印加されて、接地状態が維持される。
【００３８】
図８は、本発明の第２実施形態によるプラズマディスプレイパネルの分解斜視図である。本発明のプラズマディスプレイパネルも、上側基板２１１と下側基板２２１との間の空間を複数の放電セル２３０で区画する隔壁２２４、及び一列の放電セル２３０にわたって延び、走査電極Ｙ及び維持電極Ｘの対からなる放電維持電極対Ｓを備え、前記走査電極Ｙと維持電極Ｘとの間に配置されたフローティング電極Ｍを備える。本実施形態においては、第１実施形態とは違って、フローティング電極Ｍが一列の放電セル２３０にわたって連続的に形成されず、各発光セル２３０ごとに独立的に孤立されて形成される。このようなフローティング電極Ｍは、第１実施形態で説明されたように、維持電極Ｘに相対的に隣接して形成されることによって、維持電極Ｘ側の電界を強化して放電を活性化させる。
【００３９】
以外、上側誘電体層２１４、保護層２１５を備えた上側パネル２１０に関する事項、及びアドレス電極Ａ、下側誘電体層２２３、蛍光体層２２５を備えた下側パネル２２０に関する事項は、第１実施形態で説明されたものと事実上同一であり、それらを参考すればよい。
【００４０】
本発明は、添付された図面に図示された実施形態を参考として説明されたが、これは例示的なものに過ぎず、当業者ならばこれより多様な変形及び均等な他の実施形態が可能であるという点を理解できるであろう。したがって、本発明の真の保護範囲は特許請求の範囲により定められねばならない。
【産業上の利用可能性】
【００４１】
本発明は、プラズマディスプレイパネルの関連技術分野に好適に用いられる。
【図面の簡単な説明】
【００４２】
【図１】従来技術によるプラズマディスプレイパネルの構造を概略的に示す平面図である。
【図２】図１に図示されたプラズマディスプレイパネルの駆動方式の一例を示す図面である。
【図３】本発明の第１実施形態によるプラズマディスプレイパネルを示す分解斜視図である。
【図４】図３のＩＶ−ＩＶ線の断面図である。
【図５】図３に図示されたプラズマディスプレイパネルの構造を概略的に示す平面図である。
【図６】本発明の比較例によるプラズマディスプレイパネルに形成された一つの放電セルについて示す図面であり、放電セルでの位置による輝度差を示す図面である。
【図７】図５に図示されたプラズマディスプレイパネルの駆動方式の望ましい一例を示す図面である。
【図８】本発明の第２実施形態によるプラズマディスプレイパネルの構造を概略的に示す分解斜視図である。
【符号の説明】
【００４３】
１１０、２１０…上側パネル、
１１１、２１１…上側基板、
１１４、２１４…上側誘電体層、
１１５、２１５…保護層、
１２０、２２０…下側パネル、
１２１、２２１…下側基板、
１２３、２２３…下側誘電体層、
１２４、２２４…隔壁、
１２５、２２５…蛍光体層、
１３０、２３０…放電セル（蛍光セル）、
Ａ１〜Ａｎ…アドレス電極、
Ｍ…フローティング電極、
Ｓ…放電維持電極対、
Ｖｇ…グラウンド電圧、
Ｘ１〜Ｘｍ…維持電極、
Ｙ１〜Ｙｍ…走査電極
Ｘａ、Ｙａ…透明電極、
Ｘｂ、Ｙｂ…バス電極。
【図１】
2006147538.tif 000003
【図２】
2006147538.tif 000004
【図３】
2006147538.tif 000005
【図４】
2006147538.tif 000006
【図５】
2006147538.tif 000007
【図６】
2006147538.tif 000008
【図７】
2006147538.tif 000009
【図８】
2006147538.tif 000010